【手続補正書】
【提出日】平成18年8月28日(2006.8.28)
【手続補正１】
【補正対象書類名】明細書
【補正対象項目名】発明の名称
【補正方法】変更
【補正の内容】
【発明の名称】管理サーバ装置及び印刷処理方法及び情報処理装置及び印刷制御方法及びコンピュータ読取可能な記憶媒体
【手続補正２】
【補正対象書類名】明細書
【補正対象項目名】特許請求の範囲
【補正方法】変更
【補正の内容】
【特許請求の範囲】
【請求項１】  インターネットを介して複数のクライアントからの印刷情報と印刷属性情報を特定する指示を受け付け、複数のプリンタから指定されるプリンタで該受け付けた印刷情報の印刷処理を実行させるウェブサーバとして機能する管理サーバ装置であって、
前記指定されるプリンタで印刷処理を実行する際に使用される複数の印刷属性情報を管理する管理手段と、
インターネットを介して前記複数のクライアントのうちの１つから、印刷情報と、前記管理手段に管理されている複数の印刷属性情報から１つの印刷属性情報を特定する指示とを受信する通信手段と、
前記印刷情報と、前記１つの印刷属性情報を特定する指示がインターネットを介して外部のクライアントから受信された場合に、該受信された指示に基づいて、前記複数の印刷属性情報から前記１つの印刷属性情報を特定する特定手段と、
前記特定手段により特定された前記１つの印刷属性情報を用いて、該印刷情報を出力先のプリンタで印刷処理するための印刷データに変換するよう制御する制御手段と、
を有することを特徴とする管理サーバ装置。
【請求項２】  前記属性情報は、前記プリンタの出力特性に関する属性を含んでいることを特徴とする請求項１記載の管理サーバ装置。
【請求項３】  前記管理サーバ装置で受信した印刷情報が、インターネットを介して外部のクライアントから受信されたものか、ローカルエリアネットワークを介して管理下のクライアントから受信されたものかを判断する判断手段を更に有し、
前記制御手段は、受信した印刷情報が管理下のクライアントから受信されたものであると前記判断手段により判断された場合は、該印刷情報を変更することなく出力先のプリンタに送信するよう制御することを特徴とする請求項１または２に記載の管理サーバ装置。
【請求項４】  前記印刷属性情報は、管理下のクライアントまたは外部のクライアントで生成されたものを受信して保持されており、各プリンタ毎にファイル化されたものであることを特徴とする請求項１乃至３のいずれか１項に記載の管理サーバ装置。
【請求項５】  インターネットを介して受信する印刷情報は、オペレーティング・システムにより生成される中間データ形式のファイルであることを特徴とする請求項１乃至４のいずれか１項に記載の管理サーバ装置。
【請求項６】  インターネットを介して複数のクライアントから印刷情報と印刷属性情報を特定する指示を受け付け、複数のプリンタから指定されるプリンタで該受け付けた印刷情報の印刷処理を実行させるウェブサーバとして機能する管理サーバ装置を用いた印刷処理方法であって、
前記指定されるプリンタで印刷処理を実行する際に使用される複数の印刷属性情報を管理する管理工程と、
インターネットを介して前記複数のクライアントのうちの１つから、印刷情報と、前記管理工程で管理されている複数の印刷属性情報から１つの印刷属性情報を特定する指示とを受信する通信工程と、
前記印刷情報と、前記１つの印刷属性情報を特定する指示がインターネットを介して外部のクライアントから受信された場合に、該受信された指示に基づいて、前記複数の印刷属性情報から前記１つの印刷属性情報を特定する特定工程と、
前記特定工程により特定された前記１つの印刷属性情報を用いて、該印刷情報を出力先のプリンタで印刷処理するための印刷データに変換するよう制御する制御工程と、
を含むことを特徴とする印刷処理方法。
【請求項７】  インターネットを介して複数のクライアントから印刷情報と印刷属性情報を特定する指示を受け付け、複数のプリンタから指定されるプリンタで該受け付けた印刷情報の印刷処理を実行させるウェブサーバとして機能する管理サーバ装置で実行可能な印刷処理プログラムが格納された記憶媒体であって、
前記指定されるプリンタで印刷処理を実行する際に使用される複数の印刷属性情報をメモリに管理するプログラムコードと、
インターネットを介して前記複数のクライアントのうちの１つから、印刷情報と、前記管理されている複数の印刷属性情報から１つの印刷属性情報を特定する指示とを受信するプログラムコードと、
前記印刷情報と、前記１つの印刷属性情報を特定する指示がインターネットを介して外部のクライアントから受信された場合に、該受信された指示に基づいて、前記複数の印刷属性情報から前記１つの印刷属性情報を特定するプログラムコードと、
前記特定された前記１つの印刷属性情報を用いて、該印刷情報を出力先のプリンタで印刷処理するための印刷データに変換するよう制御するプログラムコードと、
を含むことを特徴とするコンピュータ読み取り可能な印刷処理プログラムが格納された記憶媒体。
【請求項８】  複数のクライアントからの印刷情報を受けつけ、該印刷情報を指定されるプリンタで印刷処理させるプリントサーバであって、
第１のクライアントから受け付ける、前記指定されるプリンタで印刷処理する際に使用される印刷属性情報を管理する管理手段と、
第２のクライアントから受け付ける前記印刷属性情報の取得要求に応じて、該第２のクライアントに前記印刷属性情報を配信する配信手段と、
前記配信手段により配信された印刷属性情報に基づいて前記第２のクライアントのプリンタドライバにより生成される印刷情報を受け付け、該受け付けた印刷情報を指定されるプリンタに出力する出力手段と、
を有することを特徴とするプリントサーバ。
【請求項９】  複数のクライアントからの印刷情報を受けつけ、該印刷情報を指定されるプリンタで印刷処理させるプリントサーバにおける制御方法であって、
第１のクライアントから受け付ける、前記指定されるプリンタで印刷処理する際に使用される印刷属性情報を管理する管理工程と、
第２のクライアントから受け付ける前記印刷属性情報の取得要求に応じて、該第２のクライアントに前記印刷属性情報を配信する配信工程と、
前記送出した印刷属性情報に基づいて前記第２のクライアントのプリンタドライバにより生成される印刷情報を受け付け、該印刷情報を指定されるプリンタに出力する出力工程と、
を含むことを特徴とする印刷制御方法。
【請求項１０】  複数のクライアントからの印刷情報を受けつけ、該印刷情報を指定されるプリンタで印刷処理させる印刷制御プログラムが格納された記憶媒体であって、
第１のクライアントから受け付ける、前記指定されるプリンタで印刷処理する際に使用される印刷属性情報を管理するプログラムコードと、
第２のクライアントから受け付ける前記印刷属性情報の取得要求に応じて、該第２のクライアントに前記印刷属性情報を配信するプログラムコードと、
前記送出した印刷属性情報に基づいて前記第２のクライアントのプリンタドライバにより生成される印刷情報を受け付け、該印刷情報を指定されるプリンタに出力するプログラムコードと、
を含むことを特徴とするコンピュータ読み取り可能なプログラムが格納された記憶媒体。
【請求項１１】  プリンタで印刷処理する際の印刷属性情報を管理するサーバと通信するクライアントとしての情報処理装置であって、
前記サーバに対して印刷属性情報の取得要求を発行する発行手段と、
前記発行される取得要求に応じて印刷属性情報を取得し、取得された印刷属性情報に基づいて印刷情報の印刷属性としてプリンタドライバに設定する印刷属性設定手段と、
前記印刷属性設定手段によりプリンタドライバに設定された印刷属性に基づいて、前記プリンタにより印刷可能な印刷情報を生成する印刷情報生成手段と、
を有することを特徴とする情報処理装置。
【請求項１２】  ドキュメント依存設定情報とデバイス依存設定情報からなる印刷属性情報を入力する入力手段と、
前記入力された印刷属性情報をインターネットを介して前記サーバに送信し、登録させる登録手段と、
を更に有することを特徴とする請求項１１記載の情報処理装置。
【請求項１３】  プリンタで印刷処理する際の印刷属性情報を管理するサーバと通信するクライアントとしての情報処理装置における印刷制御方法であって、
前記サーバに対して印刷属性情報の取得要求を発行する発行工程と、
前記発行される取得要求に応じて印刷属性情報を取得し、取得された印刷属性情報に基づいて印刷情報の印刷属性としてプリンタドライバに設定する印刷属性設定工程と、
前記印刷属性設定工程でプリンタドライバに設定された印刷属性に基づいて、プリンタドライバを使用して、前記プリンタにより印刷可能な印刷情報を生成する生成工程と、
を含むことを特徴とする印刷制御方法。
【請求項１４】  プリンタで印刷処理する際の印刷属性情報を管理するサーバと通信するクライアントで使用する情報処理プログラムが格納された記憶媒体であって、
前記サーバに対して印刷属性情報の取得要求を発行するプログラムコードと、
前記発行される取得要求に応じて印刷属性情報を取得し、取得された印刷属性情報に基づいて印刷情報の印刷属性としてプリンタドライバに設定するプログラムコードと、
前記プリンタドライバに設定された印刷属性に基づいて、前記プリンタにより印刷可能な印刷情報を生成するプログラムコードと、
を含むことを特徴とするコンピュータ読み取り可能なプログラムが格納された記憶媒体。
【手続補正３】
【補正対象書類名】明細書
【補正対象項目名】０００９
【補正方法】変更
【補正の内容】
【０００９】
【課題を解決するための手段】
上記の目的を達成するために、本発明は、インターネットを介して複数のクライアントからの印刷情報と印刷属性情報を特定する指示を受け付け、複数のプリンタから指定されるプリンタで該受け付けた印刷情報の印刷処理を実行させるウェブサーバとして機能する管理サーバ装置であって、前記指定されるプリンタで印刷処理を実行する際に使用される複数の印刷属性情報を管理する管理手段と、インターネットを介して前記複数のクライアントのうちの１つから、印刷情報と、前記管理手段に管理されている複数の印刷属性情報から１つの印刷属性情報を特定する指示とを受信する通信手段と、前記印刷情報と、前記１つの印刷属性情報を特定する指示がインターネットを介して外部のクライアントから受信された場合に、該受信された指示に基づいて、前記複数の印刷属性情報から前記１つの印刷属性情報を特定する特定手段と、前記特定手段により特定された前記１つの印刷属性情報を用いて、該印刷情報を出力先のプリンタで印刷処理するための印刷データに変換するよう制御する制御手段とを有することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】変更
【補正の内容】
【００１２】
また、管理サーバ装置で受信した印刷情報が、インターネットを介して外部のクライアントから受信されたものか、ローカルエリアネットワークを介して管理下のクライアントから受信されたものかを判断する判断手段を更に有し、前記制御手段は、受信した印刷情報が管理下のクライアントから受信されたものであると前記判断手段により判断された場合は、該印刷情報を変更することなく出力先のプリンタに送信するよう制御するものである。
【手続補正６】
【補正対象書類名】明細書
【補正対象項目名】００１３
【補正方法】変更
【補正の内容】
【００１３】
また、前記印刷属性情報は、管理下のクライアントまたは外部のクライアントで生成されたものを受信して保持されており、各プリンタ毎にファイル化されたものである。
【手続補正７】
【補正対象書類名】明細書
【補正対象項目名】００１４
【補正方法】変更
【補正の内容】
【００１４】
また、インターネットを介して受信する印刷情報は、オペレーティング・システムにより生成される中間データ形式のファイルである。
【手続補正８】
【補正対象書類名】明細書
【補正対象項目名】００１５
【補正方法】変更
【補正の内容】
【００１５】
また、上記の目的を達成するために、本発明は、複数のクライアントからの印刷情報を受けつけ、該印刷情報を指定されるプリンタで印刷処理させるプリントサーバであって、第１のクライアントから受け付ける、前記指定されるプリンタで印刷処理する際に使用される印刷属性情報を管理する管理手段と、第２のクライアントから受け付ける前記印刷属性情報の取得要求に応じて、該第２のクライアントに前記印刷属性情報を配信する配信手段と、前記配信手段により配信された印刷属性情報に基づいて前記第２のクライアントのプリンタドライバにより生成される印刷情報を受け付け、該受け付けた印刷情報を指定されるプリンタに出力する出力手段とを有することを特徴とする。
【手続補正９】
【補正対象書類名】明細書
【補正対象項目名】００１６
【補正方法】変更
【補正の内容】
【００１６】
また、上記の目的を達成するために、本発明は、プリンタで印刷処理する際の印刷属性情報を管理するサーバと通信するクライアントとしての情報処理装置であって、前記サーバに対して印刷属性情報の取得要求を発行する発行手段と、前記発行される取得要求に応じて印刷属性情報を取得し、取得された印刷属性情報に基づいて印刷情報の印刷属性としてプリンタドライバに設定する印刷属性設定手段と、前記印刷属性設定手段によりプリンタドライバに設定された印刷属性に基づいて、前記プリンタにより印刷可能な印刷情報を生成する印刷情報生成手段とを有することを特徴とする。
【手続補正１０】
【補正対象書類名】明細書
【補正対象項目名】００１７
【補正方法】変更
【補正の内容】
【００１７】
また、情報処理装置は、ドキュメント依存設定情報とデバイス依存設定情報からなる印刷属性情報を入力する入力手段と、前記入力された印刷属性情報をインターネットを介して前記サーバに送信し、登録させる登録手段とを更に有することを特徴とする。
【手続補正１１】
【補正対象書類名】明細書
【補正対象項目名】０１１２
【補正方法】変更
【補正の内容】
【０１１２】
【発明の効果】
以上説明した通り、本発明によれば、インターネット環境下で複数のクライアントから同一あるいは同様のドキュメントを、クライアントと同じサーバの管理下にない所望のプリンタに出力する際に、ウェブサーバとして機能する管理サーバによって管理されている印刷属性情報に基づいてドキュメントの印刷を行うことを可能とした管理サーバ装置および印刷処理方法を提供することができる。